(57)【要約】  【課題】  通話中であるか否か、或いはリンガー信号の入力の有無にかかわらず確実にフック状態を検出するための閾値を得ることができる通信端末装置を提供する。  【解決手段】  電話機による通話中であると検出したときには通話中の回線電圧値を所定時間モニターし、通話中でないと検出したときには前記電話回線から前記電話機を切離した状態で所定時間回線電圧値をモニターし、モニターした回線電圧値に基づいて閾値Ｖｔｈを設定する閾値設定手段を備え、前記フック状態検出手段は、前記電話回線に前記電話機を接続した状態で前記閾値設定手段により設定された閾値に基づいて前記電話機のフック状態を検出するように構成される。  【選択図】  図２
2005236920.tif 000002
【特許請求の範囲】
【請求項１】
電話回線の回線電圧値に基づいて前記電話回線に並列に接続された電話機のフック状態を検出するフック状態検出手段を備える通信端末装置であって、
前記電話機による通話中であると検出したときには通話中の回線電圧値を所定時間モニターし、通話中でないと検出したときには前記電話回線から前記電話機を切離した状態で所定時間回線電圧値をモニターし、モニターした回線電圧値に基づいて閾値Ｖｔｈを設定する閾値設定手段を備え、前記フック状態検出手段は、前記電話回線に前記電話機を接続した状態で前記閾値設定手段により設定された閾値に基づいて前記電話機のフック状態を検出するように構成されている通信端末装置。
【請求項２】
前記閾値設定手段は、通話中であると検出されたときには通話中の回線電圧値を所定時間モニターし、モニター電圧の最大値Ｖｍａｘよりも高い所定の電圧値を閾値Ｖｔｈとして設定し、通話中でないと検出されたときには、前記電話回線から前記電話機を切離した状態で所定時間回線電圧値をモニターし、リンガー信号非検出状態におけるモニター電圧値の最小値Ｖｍｉｎ、またはリンガー信号検出状態におけるモニター電圧値の最大値と最小値の平均値Ｖａを導出し、前記最小値Ｖｍまたは平均値Ｖａよりも低い所定の電圧値を閾値Ｖｔｈとして設定するように構成されている請求項１記載の通信端末装置。
【請求項３】
前記閾値設定手段は、装置電源の投入時に自動的に作動するように構成されている請求項１または２記載の通信端末装置。
【請求項４】
前記フック状態検出手段により検出された回線電圧値が所定の異常値であるときに、前記閾値設定手段が自動的に作動するように構成されている請求項１から３の何れかに記載の通信端末装置。
【発明の詳細な説明】
【技術分野】
【０００１】
本発明は、電話回線の回線電圧値に基づいて前記電話回線に並列に接続された電話機のフック状態を検出するフック状態検出手段を備える通信端末装置に関する。
【背景技術】
【０００２】
従来、この種の通信端末装置として、付属電話機が接続可能に構成されたファクシミリ装置があり、ファクシミリによる通信中には電話機による通話を抑制制御し、電話機のオフフック中にはファクシミリによる通信を抑制制御する必要がある。
【０００３】
そのために電話回線の回線電圧値を検出し、その検出電圧値に基づいて電話機のフック状態を検出するフック状態検出手段を備えた通信端末装置が提案されている。
【０００４】
ここに、回線電圧は国内では一般にオンフック状態でＤＣ４８Ｖ、オフフック状態でＤＣ１０Ｖ以下となるが、地域や使用される交換機によりその値は変動し、回線電圧値に対してフック状態を判断する一律の閾値電圧を設定することが困難であるため、電話機がオンフックでファクシミリのモデムを接続した閉結時と、電話機が同じくオンフックでファクシミリのモデムを切離した非閉結時の回線電圧をモニターし、それぞれの平均値と予め実験などに基づいて決定されメモリに格納された基準値に基づいて閾値電圧を決定していた。
【特許文献１】特開平８−２５１２７９号公報
【発明の開示】
【発明が解決しようとする課題】
【０００５】
しかし、上述した従来の通信端末装置では、閉結時も非閉結時もともに電話機がオンフックの状態でモニターするように構成されていたためにサンプリング時にオフフック状態であれば検出そのものが無意味となり、また基準値もそのときのモニター値に基づいて調整しなければならないといった煩雑さがあり、さらには、モニター時にリンガー信号が入力されると、正確にモニターできないという問題点があった。
【０００６】
そこで、本出願人は電話回線から強制的に電話機を切離した状態で回線電圧を検出することによりフック状態を検出するための閾値を決定する閾値設定手段を備えた通信端末装置を提案しているが、この場合には、電話回線から強制的に電話機を切離すことになるので、そのタイミングで通話していると、通話が途切れてしまうという問題があった。
【０００７】
本発明の目的は、上述した従来の問題点に鑑み、通話中であるか否か、或いはリンガー信号の入力の有無にかかわらず確実にフック状態を検出するための閾値を得ることができる通信端末装置を提供する点にある。
【課題を解決するための手段】
【０００８】
上述の目的を達成するため、本発明による通信端末装置の第一の特徴構成は、特許請求の範囲の欄の請求項１に記載した通り、電話回線の回線電圧値に基づいて前記電話回線に並列に接続された電話機のフック状態を検出するフック状態検出手段を備える通信端末装置であって、前記電話機による通話中であると検出したときには通話中の回線電圧値を所定時間モニターし、通話中でないと検出したときには前記電話回線から前記電話機を切離した状態で所定時間回線電圧値をモニターし、モニターした回線電圧値に基づいて閾値Ｖｔｈを設定する閾値設定手段を備え、前記フック状態検出手段は、前記電話回線に前記電話機を接続した状態で前記閾値設定手段により設定された閾値に基づいて前記電話機のフック状態を検出するように構成されている点にある。
【０００９】
上述の構成によれば、通話中であるか否かを検出して、通話中であれば通話中の回線電圧値をモニターして十分なノイズマージンを確保した閾値が設定でき、通話中で無ければ電話回線から電話機を切り離すことで不意にオフフック操作されても影響を受けない状態で回線電圧値をモニターして同じく十分なノイズマージンを確保した閾値が設定できるのであり、閾値電圧を設定する際に一律に強制的に電話機を回線から切り離すことが無いので、通話中であれば、その通話が安全に継続されることになる。
【００１０】
上述の特徴構成に加えて、前記閾値設定手段は、通話中であると検出されたときには通話中の回線電圧値を所定時間モニターし、モニター電圧の最大値Ｖｍａｘよりも高い所定の電圧値を閾値Ｖｔｈとして設定し、通話中でないと検出されたときには、前記電話回線から前記電話機を切離した状態で所定時間回線電圧値をモニターし、リンガー信号非検出状態におけるモニター電圧値の最小値Ｖｍｉｎ、またはリンガー信号検出状態におけるモニター電圧値の最大値と最小値の平均値Ｖａを導出し、前記最小値Ｖｍまたは平均値Ｖａよりも低い所定の電圧値を閾値Ｖｔｈとして設定するように構成されることが好ましく、特に、電話回線から前記電話機を切離した状態で回線電圧値をモニターしているときにリンガー信号検出状態でもモニター電圧値の最大値と最小値の平均値Ｖａを求めることによりリンガー信号の影響を排除して閾値Ｖｔｈを設定することが可能となる。
【００１１】
上述の特徴構成に加えて、前記閾値設定手段は、装置電源の投入時に自動的に作動するように構成されていると、装置が他の電話回線に接続されるような場合などに対応して自動的に閾値電圧を再設定できる点で好ましい。
【００１２】
さらに、前記フック状態検出手段により検出された回線電圧値が所定の異常値であるときに、前記閾値設定手段が自動的に作動するように構成されていると、何らかの一時的な回線の短絡や抜けなどの事故が発生してもその後に自動的に閾値電圧を再設定できる点で好ましい。
【発明の効果】
【００１３】
以上の説明から明らかなように、本発明によれば、通話中であるか否か、或いはリンガー信号の入力の有無にかかわらず確実にフック状態を検出するための閾値を得ることができる通信端末装置を提供することができるようになった。
【発明を実施するための最良の形態】
【００１４】
以下、図面に基づいて本発明の実施の形態を通信端末装置の一形態であるファクシミリ装置を例に説明する。図１に示すように、電話回線１にファクシミリ装置２が接続され、さらにファクシミリ装置２の電話回線拡張端子にリレー５を介して付属電話機３が並列に接続されている。
【００１５】
前記ファクシミリ装置２は、回線・モデムインターフェース回路６と、回線・モデムインターフェース回路６を介して電話回線１と接続されるモデム７と、装置全体の制御を司るべくＣＰＵとＣＰＵの実行プログラムが格納されたＲＯＭと各種の制御データが格納されるＲＡＭと各制御ブロックとの間で制御データを授受する入出力回路を備え、原稿読取り部や画像出力部を制御する制御部８と、電話回線１から入力されるリンガー信号を検出して制御部８に伝達するリンガー信号検出部９と、電話回線１の回線電圧を検出する回線電圧検出部１０と、電話回線１の音声信号を検出して付属電話機３による通話中であるか否かを制御部８に伝達する音声信号検出部１１などを備えて構成してある。
【００１６】
前記制御部８には、前記回線電圧検出部１０により検出された回線電圧が所定の閾値電圧Ｖｔｈより高いときに付属電話機３がオンフックの状態にあり、前記所定の閾値電圧Ｖｔｈより低いときにオフフックの状態にあると判断するフック状態検出手段８ａを備えている。
【００１７】
前記制御部８は、前記フック状態検出手段８ａによる検出結果に基づいて、ファクシミリ装置による通信中には付属電話機３による通話を抑制すべくリレー５をオン状態に切り替えて電話回線から付属電話機３を切離し制御し、逆に付属電話機３のオフフック中にはファクシミリによる通信を抑制制御する。
【００１８】
さらに制御部８は、前記リンガー信号検出部９により外部からの着呼であるリンガー信号が検出されると、予め設定した回数だけ付属電話機３を鳴動させた後に回線・モデムインターフェース回路６に切り替えてファクシミリ通信を実行する。
【００１９】
前記付属電話機３による通話中であると検出したときには通話中の回線電圧値を所定時間モニターし、通話中でないと検出したときには前記電話回線から前記電話機を切離した状態で所定時間回線電圧値をモニターし、モニターした回線電圧値に基づいて閾値Ｖｔｈを設定する閾値設定手段８ｂを備えてある。
【００２０】
詳述すると、前記閾値設定手段８ｂは、前記制御部８の一部、前記回線電圧検出部１０及び前記音声信号検出部１１で構成され、前記音声信号検出部１１により通話中であると検出されたときには通話中の回線電圧値を回線電圧検出部１０により所定時間モニターし、モニター電圧の最大値Ｖｍａｘよりも高い所定の電圧値を閾値Ｖｔｈとして設定し、前記音声信号検出部１１により通話中でないと検出されたときには、リレー５をオンして前記電話回線１から前記付属電話機３を切離した状態で所定時間回線電圧値をモニターし、リンガー信号非検出状態におけるモニター電圧値の最小値Ｖｍｉｎ、またはリンガー信号検出状態におけるモニター電圧値の最大値と最小値の平均値Ｖａを導出し、前記最小値Ｖｍｉｎまたは平均値Ｖａよりも低い所定の電圧値を閾値Ｖｔｈとして設定するように構成されている。
【００２１】
即ち、前記フック状態検出手段８ａは、前記制御部８の一部及び前記回線電圧検出部１０で構成され、前記リレー５をオフに切替え、前記電話回線１に前記付属電話機３を接続した状態で前記回線電圧検出部１０により検出された開き船電圧が前記閾値設定手段８ｂにより設定された閾値Ｖｔｈよりも高いか低いかによって、前記付属電話機３のフック状態を検出するように構成されている。
【００２２】
通常、電話交換機から電話回線１には、図３（ａ）に示すように、ＤＣ４８Ｖの直流電源が供給され、電話回線１に接続された電話機がオンフックの状態では約ＤＣ４８Ｖが検出されるが、オフフックの状態では電話機の内部インピーダンスだけ降下した電圧が検出される。従って、電話回線１の端子電圧を測定することのより付属電話機３がオンフックの状態であるかオフフックの状態であるかが判別できる。しかし、これらの電圧値は、電話交換機や配線状況などにより地域や設置個所により変動するもので、状態判別のための閾値Ｖｔｈの値を一義的に決定できない。また、電話回線１からリンガー信号が発信されると、図３（ｂ）に示すように、ＤＣ４８Ｖをバイアス値として１６Ｈｚ、７５Ｖｒｍｓの交流信号が出力される。従って、電話回線１のこのような状態を勘案して状態判別のための閾値Ｖｔｈの値が設定される。
【００２３】
以下に前記フック状態検出手段８ａによる動作を、図２に示すフローチャートに基づいて説明する。初期状態ではリレー５がオフされ、付属電話機３が回線に接続された状態である。前記フック状態検出手段８ａは、制御部８に備えたＲＡＭの閾値電圧格納エリアに閾値電圧が設定されているか否か（閾値電圧が設定されていないときにはゼロが記憶されている）を判断し（Ｓ１）、設定されていればファクシミリ装置の電源が投入されたエッジであるか否かを判断し（Ｓ２）、電源投入エッジでなければステップＳ１１に移行し、電源投入エッジであるときには、ＲＡＭの閾値電圧格納エリアをクリア（ゼロ値を書き込む）してステップＳ１に戻る（Ｓ３）。ファクシミリ装置に対する電源投入のエッジが検出されることをもって新たに回線に接続されて設置された状態であると判断してフック状態検出のための閾値を設定するものである。
【００２４】
ステップＳ４では音声信号検出部１１により音声信号が検出されているか否か、つまり付属電話機３による通話中であるか否かが検出され、通話中であるときには、回線電圧検出部１０により通話中の信号レベルがチェックされる（Ｓ１６）。ここに、通話中のときにはオフフック状態であり、検出される信号は、図３（ａ）に示すオフフック状態のＤＣレベルに僅かな音声信号が重畳した信号となるので、この信号の最大値Ｖｍａｘを求め、その最大値に十分なノイズマージンを加えた値を閾値Ｖｔｈとして設定し（Ｓ１７）、後述のステップＳ１１に移行する。
【００２５】
ステップＳ４で通話中では無いと判断されると、付属電話機３を電話回線１から切離すべくリレー５をオン（図１中破線で示される状態）して（Ｓ５）、回線電圧検出部１０により予め設定された数秒の間、回線電圧をモニターして最小電圧値ＶｍｉｎをＲＡＭのモニター電圧記憶エリアに格納する（Ｓ６、Ｓ１８）。この間にリンガー信号検出部９によりリンガー電圧が検出されると（Ｓ７）、リンガー信号の最大電圧値と最小電圧値を検出してＤＣレベルを演算導出する（Ｓ８）。具体的には、最大電圧値と最小電圧値を数サイクル計測して平均最大値と平均最小値の平均値をＤＣレベルとして演算導出する。
【００２６】
次に、ステップＳ８またはステップＳ１８で求められた値の１／２の値を閾値電圧Ｖｔｈとして求め、ＲＡＭの閾値電圧格納エリアに格納する（Ｓ９）。閾値電圧の設定が終了すると、リレー５をオフ（図１中実線で示される状態）して付属電話機３を電話回線１に接続して通常の回線電圧検出モードに移行する（Ｓ１０、Ｓ１１）。
【００２７】
制御部８は回線電圧検出部１０で検出された回線電圧に基づいて回線がどの状態にあるかを判断する（Ｓ１２）。検出された回線電圧Ｖが、０＜Ｖ＜Ｖｔｈと判断するとオフフック状態にあると判断してファクシミリによる通信を抑制制御する（Ｓ１３）。検出された回線電圧Ｖが、Ｖｔｈ＜Ｖと判断するとオンフック状態にあると判断して引き続きステップＳ１１に戻り回線電圧を監視する（Ｓ１４）。検出された回線電圧Ｖが、Ｖ＝０と判断すると何らかの一時的な回線の短絡や抜けなどの事故が発生したと判断してステップＳ３に戻り再度閾値電圧の設定モードに戻る（Ｓ１５）。
【００２８】
以上説明したように、制御部８のＣＰＵで実行されるステップＳ２からステップＳ１０及びステップＳ１６，Ｓ１７の処理が閾値設定手段８ｂを構成し、閾値設定手段８ｂは、ステップＳ２，Ｓ３により装置電源の投入時に自動的に作動するように構成され、ステップＳ１１からステップＳ１５の処理がフック状態検出手段８ａを構成する。ステップＳ１５に示すように、フック状態検出手段８ａにより検出された回線電圧値が所定の異常値であるときに、前記閾値設定手段８ｂが自動的に作動するようにも構成されている。
【００２９】
上述した回線電圧検出部１０及び音声信号検出部１１の回路構成については、特に限定されるものではなく、公知の電圧検出回路で構成可能であり、アナログの信号増幅回路とＡ／Ｄ変換回路で構成すればよく、Ａ／Ｄ変換に際しては１６Ｈｚの正弦波が検出できるサンプリング周期でサンプリングされていればよい。
【００３０】
閾値電圧として、上述したステップＳ８またはステップＳ１８で求められた値の１／２の値を設定するものを説明したが、この値に限定するものではなく、ステップＳ８でモニターされた最小値電圧とステップＳ１８で演算された平均電圧に対してノイズマージンを考慮した値だけ低い任意の値に設定することも可能である。同様にステップＳ１７では、最大値Ｖｍａｘを求め、その最大値に十分なノイズマージンを加えた値を閾値Ｖｔｈとして設定するものを説明したが、モニター電圧の平均値に十分なノイズマージンを加えた値を閾値Ｖｔｈとして設定するものであってもよい。
【００３１】
上述した実施形態では、通信端末装置としてファクシミリ装置を例に説明したが、他の種類の通信端末装置にも適用可能である。
【図面の簡単な説明】
【００３２】
【図１】本発明による通信端末装置のブロック構成図
【図２】本発明による通信端末装置の閾値決定動作を説明するフローチャート
【図３】電話回線の端子電圧の説明図
【符号の説明】
【００３３】
１：電話回線
２：ファクシミリ装置
３：付属電話機
５：リレー
６：回線・モデムインターフェース回路
７：モデム
８：制御部
９：リンガー信号検出部
１０：回線電圧検出部
１１：音声信号
【図１】
2005236920.tif 000003
【図２】
2005236920.tif 000004
【図３】
2005236920.tif 000005